(57)【要約】【課題】遊技機枠の裏面に設けられた球払出装置における配線構造の簡素化を図る。【解決手段】可動枠１２２の中央開口部１４２の周囲における右上部にタンク構造体２を備え、タンク構造体２の内部に球払出機構３と球切れ検出機構６とを設け、可動枠１２２の中央開口部１４２の周囲における右側部に球払出機構から排出された球を検出する払出球検出機構４を備え、タンク構造体２が球後側の球貯蔵室１０と前側の基板収納室１１とを備え、基板収納室１１には中継基板７が設けられ、中継基板７が払出モータ４６と払出球検出器５６と球切れ検出器５８と可動枠１２２の裏面に設けられた発射払出制御装置１９２を接続している。【選択図】図１
2006136532.tif 000002
【特許請求の範囲】
【請求項１】
可動枠の裏面に設けられた遊技機の球払出装置において、可動枠の中央開口部の周囲における右上部に取り付けられたタンク構造体と、タンク構造体の内部に設けられた球払出機構と、タンク構造体の内部に設けられた球切れ検出機構と、可動枠の中央開口部の周囲における右側部とに配置されて球払出機構から排出された球を検出する払出球検出機構とを備え、タンク構造体が後側の球貯蔵室と前側の基板収納室とを備え、基板収納室には中継基板が設けられ、中継基板には、球払出機構の払出駆動源と払出球検出機構の払出球検出器と球切れ検出機構の球切れ検出器と可動枠の裏面に設けられた制御装置とを接続するための複数のコネクタが設けられたことを特徴とする遊技機の球払出装置。
【発明の詳細な説明】
【技術分野】
【０００１】
本発明は、パチンコ機やスロットマシンのようなパチンコ球と呼ばれる球を遊技媒体として使用する遊技機の遊技機枠の裏面に設けられた配線構造が簡素な遊技機の球払出装置に関する。
【背景技術】
【０００２】
パチンコ機の球払出装置は、球が貯留タンクから回転可能な払出体に供給された状態において、払出体を駆動モータで駆動するか、または、払出体の回転規制を電磁ソレノイドで解除することによって、払出体が球を１個ずつ分離して貯留タンクから遊技機枠の前側における球皿構造体に払い出している。そして、球払出装置には、払出体を駆動する駆動モータまたは払出体の回転規制を解除する電磁ソレノイドのような電気的な球払出駆動源、払出体から払い出される球数を電気的に計数するための払出球検出器、貯留タンクに払い出すための球が存在しているかを電気的に検出するための球切れ検出器、払出体と球皿構造体とをつなぐ通路に払出体から払い出される球を受け入れるための空間が確保されているかを電気的に検出するための満タン検出器、払出体と球皿構造体とをつなぐ通路と払出体から払い出される遊技店の島と呼ばれる遊技機設置設備の捕球機構に排出する通路とを切り替える通路切替機構を電気的に動かす通路切替駆動源など、多数の電気部品が使用されている。しかしながら、これらの電気部品が遊技機枠の裏面に点在していることから、これらの電気部品と遊技機枠の裏面および遊技機枠に搭載された遊技盤の裏面に設けられた制御装置とをつなぐ配線構造が複雑で、球払出装置を構成するユニットを遊技機枠の裏面に取り付けたり遊技機枠の裏面から取り外したりする作業が面倒であるという欠点がある。
【特許文献１】特開平７−１４８３２７号公報
【特許文献２】特開２００３−２８４８４５号公報
【発明の開示】
【発明が解決しようとする課題】
【０００３】
発明が解決しようとする問題点は、球払出装置における多数の電気部品と遊技機枠の裏面および遊技機枠に搭載された遊技盤の裏面に設けられた制御装置とをつなぐ配線構造が複雑であるという点である。
【課題を解決するための手段】
【０００４】
本発明に係る遊技機の球払出装置は、可動枠の裏面に設けられた遊技機の球払出装置において、可動枠の中央開口部の周囲における右上部に取り付けられたタンク構造体と、タンク構造体の内部に設けられた球払出機構と、タンク構造体の内部に設けられた球切れ検出機構と、可動枠の中央開口部の周囲における右側部とに配置されて球払出機構から排出された球を検出する払出球検出機構とを備え、タンク構造体が後側の球貯蔵室と前側の基板収納室とを備え、基板収納室には中継基板が設けられ、中継基板には、球払出機構の払出駆動源と払出球検出機構の払出球検出器と球切れ検出機構の球切れ検出器と可動枠の裏面に設けられた制御装置とを接続するための複数のコネクタが設けられたことを最も主要な特徴とする。
【発明の効果】
【０００５】
本発明に係る遊技機の球払出装置は、可動枠の中央開口部の周囲における右上部にタンク構造体を備え、タンク構造体の内部に球払出機構と球切れ検出機構とを設け、可動枠の中央開口部の周囲における右側部に球払出機構から排出された球を検出する払出球検出機構を備え、タンク構造体が後側の球貯蔵室と前側の基板収納室とを備え、基板収納室には中継基板が設けられ、中継基板には、球払出機構の払出駆動源と払出球検出機構の払出球検出器と球切れ検出機構の球切れ検出器と可動枠の裏面に設けられた制御装置とを接続するための複数のコネクタが設けられたことによって、球払出装置が可動枠の中央開口部の周囲における一隅部に集約配置された構造であるので、球払出装置における多数の電気部品と遊技機枠の裏面に設けられた制御装置とをつなぐ配線構造を簡素にできるという利点がある。
【発明を実施するための最良の形態】
【０００６】
図１乃至図９は、発明を実施するための最良の形態である。図１は、遊技機枠の裏面を示す。図２は、球払出装置の中継基板における配線接続の平面を示す。図３は、中継基板を分解した球払出装置を示す。図４は、球払出装置の球払出装置の内部を縦に切断した断面を示す。図５は、パチンコ機における遊技機枠と遊技盤とを分解して示す。図６は、遊技機枠の平面を示す。図７は、遊技機枠に球払出装置を取り付けた側面を示す。図８は、遊技機枠に遊技盤を取り付けたパチンコ機の裏面を示す。図９は、パチンコ機の電気系統を示す。この明細書において、「前」、「後」、「裏」、「左」、「右」、「上」、「下」の方向は、図５の状態に遊技機枠および遊技盤を置き、それらを矢印Ａで示す前側から見た場合に特定される方向である。「後」と「裏」とは同じ方向である。
【０００７】
図１を参照し、遊技機枠１２１の裏機構について説明する。球払出装置１は、可動枠１２３の中央開口部１４２の周囲における右上部と右側部とに配置され、遊技主体収納構造体１２６の裏面に取り付けられる。球払出装置１の連結樋５の下部には、縦樋１８２が接続される。したがって、球払出装置１の連結樋５を通過した球は、縦樋１８２に取り込まれる。縦樋１８２は、遊技機枠１２１の中央開口部１４２よりも右側に配置され、遊技主体収納構造体１２６の裏面に取り付けられる。縦樋１８２の内部には、球通路が、上部から下部に行くにしたがって、前後方向に蛇行する形態に形成される。縦樋１８２の下端は、前横樋１５１の右上内部に連なる。よって、縦樋１８２に取り込まれた球は、縦樋１８２の内部における球通路を蛇行しながら流下して前横樋１５１に排出される。
【０００８】
縦樋１８２の右側には、球抜通路構成体１８３が併設される。球抜通路構成体１８３および縦樋１８２は上部で互いに連接される。この連接部には、通路切換機構１８４が設けられる。通路切換機構１８４は、縦樋１８２の裏面に取り付けられた通路切換駆動源としての流路切替ソレノイド１８５と、流路切替ソレノイド１８５のプランジャに連結されて縦樋１８２の球通路に配置された通路切換弁１８６とを備える。流路切替ソレノイド１８５は、電磁ソレノイドにより構成される。例えば、流路切替ソレノイド１８５が電力供給されていない場合、通路切換弁１８６は、連結樋５から縦樋１８２に球を流すように、球払出装置１と球抜通路構成体１８３との球通路を遮断する。そして、流路切替ソレノイド１８５が電力供給されている場合、通路切換弁１８６は、連結樋５から球抜通路構成体１８３に球を流すように、球払出装置１と縦樋１８２との球通路を遮断する。球抜通路構成体１８３の下端は、前横樋１５１の内部裏側を塞ぐ球通路カバーに形成された球抜通路１８７に連接される。球抜通路１８７の下端は、前横樋１５１の内部から下方に突出する。縦樋１８２における通路切換機構１８４よりも下部の中間部には、満タン検出器１８８が設けられる。満タン検出器１８８は、図５に示す球収納部１３７から前横樋１５１および縦樋１８２の満タン検出器１８８まで球が満杯となると、主制御装置１７３による遊技制御を停止するために、満タン検出器１８８が満杯となった球でオン動作して満杯検出信号を主制御装置１７３に出力する。
【０００９】
遊技主体収納構造体１２６における遊技主体棚１４７より下方に延設された前壁の裏面には、電源装置１９１と制御装置としての発射払出制御装置１９２とが取り付けられる。電源装置１９１は、遊技機枠１２１の中央開口部１４２よりも右下部に配置される。発射払出制御装置１９２は、遊技機枠１２１の中央開口部１４２よりも左下部に配置される。枠側コネクタ１４４よりも上部における遊技主体収納構造体１２６の裏面には、外部情報端子基板１９３、払出中継基板１９４、電源端子基板１９５が、下から上に順に配置された形態で、取り付けられる。発射払出制御装置１９２よりも左側における遊技主体収納構造体１２６の裏面には、球皿中継基板１９６が取り付けられる。電源装置１９１、発射払出制御装置１９２、枠側コネクタ１４４、払出中継基板１９４、電源端子基板１９５、外部情報端子基板１９３および球皿中継基板１９６のそれぞれは、枠側可撓性配線１９７で、互いに接続される。枠側可撓性配線１９７は、遊技盤１５５に設けられた電気部品と遊技機枠１２１に設けられた電気部品とを接続する多数本の箔形状の電線が、可撓性を有する合成樹脂基板に付設された構造である。
【００１０】
枠側可撓性配線１９７は、縦片部と縦片部の下部から右側に延設した横片部とからなる形状である。枠側可撓性配線１９７の縦片部は、遊技主体収納構造体１２６における中央開口部１４２より左側部分の裏面と対応する部分であって、当該縦片部には、枠側コネクタ１４４、外部情報端子基板１９３、払出中継基板１９４および電源端子基板１９５が上下方向に一列に配置されて接続される。枠側可撓性配線１９７の横片部は、遊技主体収納構造体１２６における中央開口部１４２より下側部分の裏面と対応する部分であって、当該横片部の右下部には、球皿中継基板１９６が接続され、当該横片部の右端部には、電源用コネクタ１９８と発射払出制御用コネクタ１９９とが接続される。払出中継基板１９４には、球払出装置１の中継基板７に設けられた図２に示すコネクタ６５が、ハーネス２００で接続される。ハーネス２００は、可撓性を有する帯状の絶縁被覆体に多数本の電線を埋設した、フレキシブル・フラット・ケーブルと呼ばれる、被覆電線により構成される。電源端子基板１９５には、パチンコ機のプラグ２０１を有する被覆電線からなる電源配線２０２が接続される。
【００１１】
外部情報端子基板１９３には、図９に示すホールコンピュータ２３２が接続される。球皿中継基板１９６には、球皿構造体１２８の電気部品から配線孔１５２を経由して遊技機枠１２１の裏側に引き出された配線が接続される。電源装置１９１の裏面右部には、電源スイッチ２０３およびリセット釦２０４が設けられる。電源用コネクタ１９８には、電源装置１９１に設けられた電源コネクタ２０５が接続される。発射払出制御用コネクタ１９９には、発射払出制御装置１９２に設けられた発射払出制御コネクタ２０６が接続される。遊技主体収納構造体１２６の裏面には、一斉球抜きスイッチ２０７および扉開放スイッチ２０８が、球払出装置１とロック機構１３３ａとの間における右上部に位置して取り付けられる。一斉球抜きスイッチ２０７は、人の操作によって一斉球抜き信号を図５に示す主制御装置１７３に出力する。扉開放スイッチ２０８は、図５に示すパネル枠１２７が開放された場合に、主制御装置１７３による遊技制御を停止するために、遊技機枠１２１に設けられたスイッチであって、パネル枠１２７が開けられた場合に扉開放信号を主制御装置１７３に出力し、パネル枠１２７が閉じられた場合に主制御装置１７３への扉開放信号の出力を停止する。主制御装置１７３は、一斉球抜き信号により、流路切替ソレノイド１８５に電力を供給し、通路切替弁１８６が、連結樋５から球抜通路構成体１８３に球を流すように、球払出装置１と縦樋１８２との球通路を遮断する。
【００１２】
図２を参照し、球払出装置１の中継基板７の回路基板６０に実装されたコネクタ６１−６８に対する配線の接続について説明する。コネクタ６１には、払出モータ４６の配線２１１に結線されたコネクタ２１２が嵌め込まれたことによって、払出モータ４６が接続される。コネクタ６２には、払出球検出器５６の配線２１３に結線されたコネクタ２１４が嵌め込まれたことによって、払出球検出器５６が接続される。コネクタ６３には、満タン検出器１８８の配線２１５に結線されたコネクタ２１６が嵌め込まれたことによって、満タン検出器１８８が接続される。コネクタ６４には、球切れ検出器５８の配線２１７に結線されたコネクタ２１８が嵌め込まれたことによって、球切れ検出器５８が接続される。コネクタ６５には、ハーネス２００に結線されたコネクタ２１９が嵌め込まれることによって、ハーネス２００が接続される。コネクタ６６には、流路切替ソレノイド１８５の配線２２０に結線されたコネクタ２２１が嵌め込まれたことによって、流路切替ソレノイド１８５が接続される。コネクタ６７には、一斉球抜きスイッチ２０７の配線２２２に結線されたコネクタ２２３が嵌め込まれたことによって、一斉球抜きスイッチ２０７が接続される。コネクタ６８には、扉開放スイッチ２０８の配線２２４に結線されたコネクタ２２５が嵌め込まれたことによって、扉開放スイッチ２０８が接続される。
【００１３】
コネクタ６１とコネクタ２１２とが互いに嵌め込まれ、コネクタ６２とコネクタ２１４とが互いに嵌め込まれ、コネクタ６３とコネクタ２１６とが互いに嵌め込まれ、コネクタ６４とコネクタ２１８が互いに嵌め込まれ、コネクタ６５とコネクタ２１９とが互いに嵌め込まれ、コネクタ６６とコネクタ２２１とが互いに嵌め込まれ、コネクタ６７とコネクタ２２３とが互いに嵌め込まれ、コネクタ６８とコネクタ２２５とが互いに嵌め込まれ、ハーネス２００が配線孔４１を経由して基板収納室１１に収められ、配線２１１、配線２１３、配線２１５、配線２１７、配線２２０、配線２２２、配線２２４が配線孔４２を経由して基板収納室１１に収められた後、基板蓋８が図７に示すようにタンク構造体２に取り付けられる。配線孔４１が左壁３２の上方から内部に窪むとともに左右に開口した溝により形成され、配線孔４２が右壁３３の上方から内部に窪むとともに左右に開口した溝により形成されているので、ハーネス２００を配線孔４１に上方から簡単に通すことができ、配線２１１、配線２１３、配線２１５、配線２１７、配線２２０、配線２２２、配線２２４を配線孔４２に上方から簡単に通すことができるという利点がある。
【００１４】
図３を参照し、遊技機の球払出装置１の構造について説明する。球払出装置１は、タンク構造体２、球払出機構３、払出球検出機構４、連結樋５、球切れ検出機構６、中継基板７、基板蓋８を備える。タンク構造体２は、球貯蔵室１０と基板収納室１１とを備える。球貯蔵室１０と基板収納室１１との配置は、球貯蔵室１０が後側で、基板収納室１１が前側である。球貯蔵室１０は、図５に示す遊技機枠１２１を取り付ける図外の遊技機設置構造体における補給機構から排出された球を貯蔵する部屋であって、方形な底壁１２、底壁１２の周囲から上方に突出した左壁１３、底壁１２の周囲から上方に突出した右壁１４、底壁１２の周囲から上方に突出した前壁１５、底壁１２の周囲から上方に突出した後壁１６によって、上方に開口した箱形の部屋として構成される。
【００１５】
球貯蔵室１０の底壁１２には、球貯蔵室１０から球払出機構３に球を落下する供給口１７が、球貯蔵室１０の底壁１２における遊技機枠１２１の裏面と平行な左右方向の一側部としての右側部で、球貯蔵室１０における遊技機枠１２１の裏面と直交する前後方向の中央部に位置して左右方向に横長な方形に形成される。底壁１２の球と接触する底面は、球が球貯蔵室１０の周囲から供給口１７に向けて流れる斜面を形成する。供給口１７には、下方に突出する取込部１８が設けられる。取込部１８は取込部１８の内部に、供給口１７の縁部から下方に連接して窪む左右方向に横長な受空間部１９を囲み形成する。
【００１６】
基板収納室１１は、球払出装置１に設けられる電気部品の全ての配線を集中的に接続する中継基板７を格納する部屋であって、方形な底壁３１、底壁３１の周囲から上方に突出した左壁３２、右壁３３、前壁３４、後壁３５によって、上方に開口した箱形の部屋として構成される。基板収納室１１の後壁３５と球貯蔵室１０の前壁１５とは、互いに一体となって、基板収納室１１と球貯蔵室１０とを区分する隔壁を構成する。基板収納室１１の底壁３１には、底壁３１から上方に突出した筒状の基板取付部３６が、基板収納室１１の一側部としての右側部に設けられる。基板取付部３６は、中継基板７の四隅に形成された取付孔６９と同じ個数である。基板収納室１１の他側部としての左側部には、基板収納室１１の底壁３１と前壁３４および後壁３５のそれぞれに連接した補強壁３７が設けられる。基板収納室１１の前壁３４および後壁３５には、前壁３４および後壁３５から基板収納室１１に突出する蓋係合突起３８；３９が、互いに向き合う格好で、基板取付部３６の位置する基板収納室１１の右側部に設けられる。
【００１７】
基板収納室１１の左壁３２および右壁３３には、上方および左右に開放された溝状の配線孔４１；４２が個別に設けられる。基板収納室１１の後壁３５、左壁３２および右壁３３は、基板収納室１１の底壁３１からの高さが互いに同じであるのに対し、基板収納室１１の前壁３４における底壁３１からの高さは、基板収納室１１の後壁３５、左壁３２および右壁３３よりも高い。止ねじ２０９が、タンク構造体２の裏側から、基板収納室１１の前壁３４における左壁３２と右壁３３と後壁３５とよりも上方に突出した部分を貫通して可動枠１２３に締結されたことによって、タンク構造体２が可動枠１２３の裏面に固定されている。よって、スクリュードライバーのような工具がタンク構造体２の後側から後壁３５の上を通過して止ねじ２０９を締結することができるので、工具で止ねじ２０９を締結するための操作が容易となる。基板収納室１１の前壁３４には、前壁３４から前側に突出した補強を兼ねる位置決め部４４が、左右に延びた凸条に設けられる。位置決め部４４は、補強としての強度向上の観点から、タンク構造体２の右から左に行くにしたがって下方から上方に上り階段を構成する階段状である。
【００１８】
中継基板７は、プリント基板のような回路基板６０にコネクタ６１；６２；６３；６４；６５；６６；６７；６８を実装した構造である。コネクタ６１乃至６４；６６乃至６８のそれぞれに設けられた電気端子としてのコネクタピンとコネクタ６５に設けられた電気端子としてのコネクタピンとが、回路基板６０に付設されたプリント配線のような箔形状の配線で、互いに接続される。回路基板６０の四隅には、取付孔６９を備える。基板蓋８は、基板収納室１１の前壁３４よりも後側に位置し、基板収納室１１の上部における開口を全面的に塞ぐ大きさの板状である。基板蓋８が基板収納室１１の上部における開口を塞いだ場合、基板蓋８の後縁部の下面、左縁部の下面、右縁部の下面は、基板収納室１１の後壁３５、左壁３２および右壁３３の上面に上方から重ね合わされて接触する。
【００１９】
基板蓋８には、基板蓋８から下方に突出する左右一対の取付部７１；７２が、基板収納室１１の前壁３４と後壁３５との間に前壁３４と後壁３５とに接触するかまたは接触する程度に近付いて嵌め込まれる前後方向に相対峙する間隔で、前後に設けられる。前側の取付部７１には、係合溝７３が、取付部７１における基板収納室１１の前壁３４と対向する前面から内部に窪む形態に設けられる。後側の取付部７２には、係合溝７４が、取付部７２における基板収納室１１の後壁３５と対向する後面から内部に窪む形態に設けられる。前側における係合溝７３および後側における係合溝７４は、基板蓋８を前側から見た場合、互いに同じ形となるように、前後方向で対称となる対称形であって、下方に開口された下部縦溝と、下部縦溝の上端から右側に直線的に連接された横溝と、横溝の右端から上方に連接された上部縦溝とからなる、屈曲溝として構成される。
【００２０】
中継基板７および基板蓋８は、タンク構造体２に次のように取り付けられる。中継基板７がタンク構造体２の上方から基板収納室１１に挿入されて基板取付部３６に搭載され、タッピングスクリューのような止ねじ１０６が中継基板７の上から取付孔６９を経由して基板取付部３６の内部孔に締結されることによって、中継基板７が図６に示すようにタンク構造体２に固定される。このように止ねじ１０６が中継基板７の上から取付孔６９を経由して基板取付部３６の内部孔に締結されることによって、中継基板７が図６に示すようにタンク構造体２に固定されるので、中継基板７のタンク構造体２への取付とタンク構造体２からの取外しとが簡単に行えるという利点がある。図３に戻り、中継基板７における回路基板６０に実装されたコネクタ６１乃至６８と図２に示すコネクタ２１２；２１４；２１６；２１８；２１９；２２１；２２３；２２５とが互いに嵌め込まれ、図２に示すハーネス２００が配線孔４１を経由して基板収納室１１に収められ、図２に示す配線２１１；２１３；２１５；２１７；２２０；２２２；２２４が配線孔４２を経由して基板収納室１１に収められた後、基板蓋８がタンク構造体２に取り付けられる。
【００２１】
この最良の形態によれば、可動枠１２３の中央開口部１４２の周囲における右上部にタンク構造体２を備え、タンク構造体２の内部に球払出機構３と球切れ検出機構６とを設け、可動枠１２３の中央開口部１４２の周囲における右側部に球払出機構から排出された球を検出する払出球検出機構４を備え、タンク構造体２が後側の球貯蔵室１０と前側の基板収納室１１とを備え、基板収納室１１には中継基板７が設けられ、中継基板７には、球払出駆動源としての払出モータ４６と払出球検出器５６と球切れ検出器５８と可動枠１２３の裏面に設けられた発射払出制御装置１９２と図５に示す遊技盤１５５の裏面に設けられた主制御装置１７３とを接続するための複数のコネクタ６１乃至６８が設けられたことによって、球払出装置１が可動枠１２３の中央開口部１４２の周囲における一隅部に集約配置された構造であるので、球払出装置１における多数の電気部品と遊技機枠１２１の裏面および遊技機枠１２１に搭載された遊技盤１５５の裏面に設けられた制御装置とをつなぐ配線構造を簡素にできるという利点がある。球切れ検出器５８は、球切れ検出信号を、図９に示す主制御装置１７３および発射払出制御装置１９２に出力する。主制御装置１７３は球切れ検出信号を遊技店の営業を管理するホールコンピュータに出力し、ホールコンピュータが遊技機設置構造体の補給機構を駆動し、補給球が球を球払出装置１の球貯蔵室１０に供給される。
【００２２】
基板蓋８がタンク構造体２に取り付けられる場合、基板蓋８の取付部７１；７２が基板収納室１１の上から基板収納室１１に挿入され、係合溝７３；７４の下部縦溝が蓋係合突起３８；３９に挿入され、蓋係合突起３８；３９が下部縦溝の上端に衝突した後、基板蓋８が右から左に横移動され、蓋係合突起３８；３９が係合溝７３；７４の下部縦溝から横溝に移動する。そして、蓋係合突起３８；３９が横溝の右端に衝突した後、基板蓋８が下方に押し込まれ、蓋係合突起３８；３９が係合溝７３；７４の横溝から上部縦溝に取り込まれる。これによって、基板蓋８が基板収納室１１の上方の開口を塞いでタンク構造体２に取り付けられる。このように係合溝７３；７４と蓋係合突起３８；３９との嵌合によって、基板蓋８が基板収納室１１の上からタンク構造体２に取り付けられるので、基板蓋８のタンク構造体２への取付とタンク構造体２からの取外しとが簡単に行えるという利点がある。配線孔４１が左壁３２に設けられ、配線孔４２が右壁３３に設けられているので、基板蓋８が基板収納室１１の上方の開口を塞いでタンク構造体２に取り付けられた場合、基板蓋８とタンク構造体２との間に隙間ができることのないように、ハーネス２００や配線２１１、配線２１３、配線２１５、配線２１７、配線２２０、配線２２２、配線２２４が、タンク構造体２の外部と基板収納室１１の内部とにわたすことができるという利点がある。
【００２３】
図７に示すように、基板蓋８がタンク構造体２に取り付けられた状態において、球Ｐが矢印Ｘ６で示すように遊技機枠１２１の上方から球払出装置１の基板蓋８の上に落下した場合、その落下した球Ｐは、基板蓋８の上を転がって後側の球貯蔵室１０に取り込まれるかまたは球払出装置１の外側に落下する。球払出装置１が可動枠１２３に止ねじ２０９で取り付けられる場合、先ず、タンク構造体２の位置決め部４４が遊技主体収納構造体１２６の裏面に設けられた受棚２１０に載せられる。次に、止ねじ２０９がタンク構造体２から遊技主体収納構造体１２６に締結される。よって、タンク構造体２が受棚２１０で受け止められて位置が上下方向にずれない状態において、作業者が止ねじ２０９を工具で締結することができるので、球払出装置１の遊技機枠１２１への止ねじ２０９による取付作業がやりやすい。
【００２４】
つまり、中継基板収納室１１が基板蓋８で塞がれているので、球払出装置１の上方から中継基板収納室１１に向かって落下した球Ｐは、基板蓋８で受け止められ、中継基板収納室１１に落下することがない。これによって、図２に示す中継基板７におけるコネクタ６１乃至６８とハーネス２００、払出モータ４６、払出球検出器５６、満タン検出器１８８、球切れ検出器５８、流路切替ソレノイド１８５、一斉球抜きスイッチ２０７、扉開放スイッチ２０８との接続が落下する球Ｐの直撃から保護される。しかも、基板蓋８の周縁の下面が、中継基板収納室１１における図３に示す左壁３２と右壁３３および後壁３５のそれぞれの上面に重ね合わされているので、基板蓋８の上に落下した図７に示す球Ｐが、基板蓋８の上に滞ることなく基板蓋８から球貯蔵室１０や球払出装置１の外側に落下する。
【００２５】
図４に示すように、球払出機構３の払出駆動源としての払出モータ４６がタンク構造体２の右壁１４の外側から右壁１４に止ねじ１００で取り付けられる。払出モータ４６はステップモータにより構成される。螺旋払出体４７は、払出モータ４６のモータ軸のような出力軸５１に同軸に結合された丸棒の外周面に螺旋体５２を備える。螺旋体５２は、螺旋払出体４７の丸棒の軸心と平行な方向に球を１個ずつ分離する間隔で、当該丸棒の外周面から径方向外側に螺旋形状に突出する。螺旋払出体４７の先端部には、丸棒より細い軸部５３が、同軸に突出する。軸部５３が受空間部１９から取込部１８の左壁に形成された軸受孔２４に回転可能に嵌めこまれる。そして、球貯蔵室１０に球が供給されると、球貯蔵室１０に入った球は、底壁１２の底面の傾斜で取込部１８の方向に案内されて取込部１８に流れ込む。この取込部１８に入った球Ｐは、取込部１８の受空間部１９において螺旋払出体４７で前後に分けられるとともに、螺旋体５２の隙間に分離されて１個ずつ取り込まれる。その状態において、螺旋払出体４７が払出モータ４６で一方向に駆動されると、螺旋体５２が螺旋体５２の隙間に取り込まれた球を受空間部１９の左側から右側に移動する。螺旋体５２によって右側に移動した球Ｐは、矢印Ｘ３で示すように、取込部１８の球出口２６から球出口２６の真下に配置された払出球検出器５６を経由して連絡樋５に向けて直線的に落下する。このように球出口２６から球が排出される場合、図６に示すように、受空間部１９において、螺旋払出体４７の前側に分離されている球Ｐと螺旋払出体４７の後側に分離されている球Ｐとは、螺旋体５２によって、互いに、同時に排出されることはなく、螺旋払出体４７の１回転における螺旋払出体４７の回転中心と平行な方向に半周期ずれて互い違いに排出される。
【００２６】
図５を参照し、遊技機枠１２１の前機構および遊技盤１５５の裏機構について説明する。遊技機枠１２１は、固定枠１２２と可動枠１２３とを備える。固定枠１２２は、パチンコ店の図外の遊技機設置構造体に取り付けるための外枠と呼ばれるものであって、前後方向に開放された縦長な長方形の空間を囲む額縁形状である。固定枠１２２には、前枠または中枠と呼ばれる可動枠１２３が、左側のヒンジ１２４で前側横方向に片開き可能にかつ着脱可能（交換可能）に取り付けられる。可動枠１２３は、前後方向に開放された縦長な長方形の空間を囲む額縁形状の可動枠本体１２５と、可動枠本体１２５から内部に延設された遊技主体収納構造体１２６とを備える。可動枠本体１２５には、パネル枠１２７および球皿構造体１２８が左側に上下に設けられるヒンジ１２９で前側横方向に片開き可能に取り付けられる。パネル枠１２７は、前後方向に開放された窓１３０を囲む額縁形状である。パネル枠１２７の裏面には、ガラスまたは合成樹脂からなる光透過性を有する前面パネル１３１が、窓１３０を覆う格好で取り付けられる。
【００２７】
可動枠本体１２５の右縦片には施錠装置１３２と複数のロック機構１３３；１３３ａ；１３４およびロック解除操作体１３５が設けられる。可動枠１２３やパネル枠１２７および球皿構造体１２８が閉じられてロック機構１３３；１３３ａ；１３４で開閉不能に支持された状態において、遊技店の店員が図外のキープレート（鍵）を遊技機枠１２１の前側から施錠装置１３２の鍵穴１３６に挿入し、当該キープレートを例えば右側に９０度回転操作すると、固定枠１２２と可動枠１２３とのロック機構１３３ａによる支持形態が解除される。この支持形態の解除後に、店員が可動枠１２３を前側に引くことによって、可動枠１２３はヒンジ１２４を回転中心として前側に片開きされる。
【００２８】
また、上記施錠装置１３２の鍵穴１３６に挿入されたキープレートが例えば左側に９０度回転操作されると、可動枠１２３とパネル枠１２７とのロック機構１３３による支持形態が解除される。この支持形態の解除後に、店員がパネル枠１２７を前側に引くことによって、パネル枠１２７はヒンジ１２９を回転中心として前側に片開きされる。このように、パネル枠１２７が前側に開かれた状態において、店員が可動枠１２３の前面に設けられたロック解除操作体１３５を操作すると、可動枠１２３と球皿構造体１２８とのロック機構１３４による支持形態が解除される。この支持形態の解除後に、店員が球皿構造体１２８を前側に引くことによって、球皿構造体１２８はヒンジ１２９を回転中心として前側に片開きされる。
【００２９】
球皿構造体１２８の前面には、球収納部１３７および発射操作機構１３８を備える。球収納部１３７は、遊技に使用する球を受ける上方に開放された形態である。球皿構造体１２８の裏面には、前横樋１５１から球を球収納部１３７に供給する球取入口１３９と、球収納部１３７から発射機構１４８に球を供給する球供給口１４０とを備える。遊技主体収納構造体１２６は、前側に開放された遊技主体収納室１４１と、遊技主体収納室１４１の立壁に前後方向に貫通する中央開口部１４２とを備える。遊技主体収納室１４１の左側部には、遊技盤１５５を取り付ける枠側ヒンジ１４３および枠側コネクタ１４４を備える。枠側ヒンジ１４３は、遊技主体収納室１４１の左側部に固定的に取り付けられたヒンジ躯体の前側に折り曲げられた支持部から上方に突出したヒンジピンを備えた構造である。遊技主体収納室１４１の右側部には、遊技主体ロック部材１４５を備える。遊技主体ロック部材１４５は、遊技主体収納構造体１２６から前側に突出する円筒状の台座の中心にロック操作体１４６を回転可能に備える。ロック操作体１４６は、台座から前側に突出した操作軸の端部に固定された横長な形態である。遊技主体収納構造体１２６における遊技主体収納室１４１よりも下部における前面には、遊技主体棚１４７を備える。遊技主体棚１４７から下方に延設された遊技主体収納構造体１２６における前壁の前面には、発射機構１４８、発射レール１４９、ファール球取入口部１５０、前横樋１５１、配線孔１５２を備える。
【００３０】
発射レール１４９は、球皿構造体１２８の球供給口１４０から供給された１個の球を受け取る。発射機構１４８は、電力供給と遮断とを交互に受けることによって、球収納部１３７から発射レール１４９に供給された１個の球を遊技盤１５５の遊技領域に向けて発射する。発射レール１４９は、発射機構１４８から発射された球を、遊技盤１５５における発射通路の入口に誘導する。ファール球取入口部１５０は、遊技盤１５５の発射通路から落下する球を取り込む。ファール球取入口部１５０に取り込まれた球は、前横樋１５１を経由して球取入口１３９に排出される。前横樋１５１は、可動枠１２３の裏部に取り付けられた図１に示す球払出装置１から払い出された球を球取入口１３９に排出する。枠側コネクタ１４４は、導電材からなるコネクタピンが合成樹脂のような電気絶縁材からなるコネクタボディに移動可能に装着され、コネクタピンに内蔵されたコイルスプリングのような弾性体がコネクタピンの先端部をコネクタピンから外側に押し出した、スプリングコネクタと呼ばれる構造であって、コネクタピンが遊技盤１５５の電極１６２から押されるのに伴い、弾性体が圧縮し、コネクタピンと電極１６２とが互いに押し合って接触する。
【００３１】
遊技盤１５５は、裏面に、セット板と呼ばれる部品取付構造体１５６を備える。部品取付構造体１５６は、遊技盤１５５の前面のガイドレールで囲まれた内側の遊技領域に設けられた入賞部品に取り込まれた後に当該入賞部品から遊技盤１５５の裏側に排出された球を、下方に誘導して排出する。遊技盤１５５の裏側には、遊技盤１５５の前面に設けられた遊技部品の裏機構が、遊技盤１５５に形成された図外の逃孔や部品取付構造体１５６に形成された逃孔１５７を経由して突出する。遊技盤１５５の裏側に突出した裏機構を有する遊技部品は、複数の図柄表示器１５８；１５９、可動部品１６０、図外の複数の入賞部品、図外のサイドランプなどである。図柄表示器１５８は、遊技領域の中央に設けられ、液晶表示器、ＣＲＴ表示器、プラズマディスプレイなどのような電気的に表示形態を変えられる画像を表示画面に表示する画像表示器により形成され、裏機構として図柄制御装置１７５を備える。図柄表示器１５９は、遊技領域の右側下部に設けられ、複数の図柄の印刷された図柄表示体をステップモータで回転する構造であって、裏機構としてステップモータを備える。部品取付構造体１５６の裏面には、盤側可撓性配線１６１と盤側ヒンジ１６４と主制御装置１７３および複合制御装置１７４が設けられる。
【００３２】
盤側可撓性配線１６１は、遊技盤１５５に設けられた電気部品と遊技機枠１２１に設けられた電気部品とを接続する多数本の箔形状の電線および箔形状の電極１６２が、可撓性を有する合成樹脂基板の表面に付設された構造である。電極１６２は、枠側コネクタ１４４のコネクタピンと対応する個数のラウンドと呼ばれるものであって、各電極１６２からは上記箔形状の電線が個別に延設される。電線の表面は、レジスト膜のような電気絶縁材で被覆され、人の接触から保護される。盤側可撓性配線１６１は、縦片部と縦片部の上下部から右側に延設した上下横片部とからなる形状である。盤側可撓性配線１６１の縦片部は、部品取付構造体１５６における逃孔１５７より左部分の裏面と対応する部分であって、当該縦片部の左端部には、電極１６２が互いに離れた形態で配置され、当該縦片部から右側に延長した延設部には、図柄制御装置１７５が接続される。
【００３３】
盤側可撓性配線１６１の上横片部は、部品取付構造体１５６における逃孔１５７より上部分の裏面と対応する部分であって、当該上横片部には、主制御装置１７３が接続される。当該上横片部から下方に延長した延設部には、可動部品１６０の駆動源が接続される。盤側可撓性配線１６１の下横片部は、部品取付構造体１５６における逃孔１５７より下部分の裏面と対応する部分であって、当該下横片部の左下部には、複合制御装置１７４が接続され、当該下横片部の右端部には、図柄表示器１５９の駆動源が接続され、当該下横片部から下方に延長した延設部には、可変入賞部品の駆動源が接続される。主制御装置１７３は、制御に必要な電気部品の実装された回路基板を１つの制御装置筐体の内部に装着した構造であって、回路基板の電気部品を実装した板面が、遊技盤１５５の裏面と直交する格好で、かつ、制御装置筐体の厚さが遊技盤１５５の上下方向となる格好で、遊技盤１５５の裏面に対して取り付けられる。複合制御装置１７４は、制御に必要な電気部品の実装された回路基板を１つの制御装置筐体の内部に装着した構造であって、回路基板の電気部品を実装した板面が、遊技盤１５５の裏面と直交する格好で、かつ、制御装置筐体の厚さが遊技盤１５５の左右方向となる格好で、遊技盤１５５の裏面に対して取り付けられる。
【００３４】
盤側ヒンジ１６４は、遊技盤１５５に固定的に取りけられたヒンジ躯体の前側に折り曲げられた支持部に上下方向に貫通したヒンジ孔を備えた構造である。遊技盤１５５の盤側ヒンジ１６４と反対側の側部には、取付部１６５を備える。取付部１６５にはロック挿入孔１６６を備える。そして、遊技盤１５５の前面が前側に向けられ、遊技盤１５５の盤側ヒンジ１６４の設けられた片側が遊技機枠１２１の前側から遊技主体収納室１４１に挿入され、盤側ヒンジ１６４のヒンジ孔が枠側ヒンジ１４３のヒンジピンに上方から挿入されると、遊技盤１５５が遊技機枠１２１に盤側ヒンジ１６４と枠側ヒンジ１４３とを回転中心として回転可能に取り付けられる。その後、遊技盤１５５が遊技機枠１２１の方に押されると、遊技主体ロック部材１４５のロック操作体１４６が遊技盤１５５の取付部１６５のロック挿入孔１６６に後側から挿入されて前側に突出する。その状態において、作業者がロック操作体１４６を例えば左方向に９０度回転操作すると、ロック操作体１４６がロック挿入孔１６６の周りにおける取付部１６５と係合し、遊技盤１５５が遊技主体収納室１４１に取り付けられる。遊技盤１５５が取り付けられた後、パネル枠１２７が閉じられる。これによって、パチンコ機が構成される。このパチンコ機は、遊技盤１５５が遊技機枠１２１の内部に格納され、遊技盤１５５の前側がパネル枠１２７で覆われ、遊技盤１５５の遊技領域が遊技機枠１２１の前側から前面パネル１３１を通して視認し得る形態である。
【００３５】
図８を参照し、遊技盤１５５が装着された遊技機枠１２１の裏面について説明する。遊技盤１５５の裏面に取り付けられた主制御装置１７３や複合制御装置１７４および図柄制御装置１７５が遊技機枠１２１の前側から中央開口部１４２を経由して裏側に突出し、主制御装置１７３と複合制御装置１７４および図柄制御装置１７５それぞれを互いに接続する盤側可撓性配線１６１が、遊技機枠１２１の中央開口部１４２よりも左側の裏面に設けられた枠側可撓性配線１９７の枠側コネクタ１４４に接続されているので、遊技盤１５５の裏機構の配置が簡素化できる。また、主制御装置１７３と複合制御装置１７４および図柄制御装置１７５のそれぞれを互いに接続する配線が、盤側可撓性配線１６１で形成されているので、個々ばらばらの多数本の配線が入り乱れることがなく、一層、整然とした配置となる。遊技盤１５５の前面には、外ガイドレール２２７と内ガイドレール２２８とが設けられ、外ガイドレール２２７と内ガイドレール２２８との間の隙間が発射通路、発射通路を除く外ガイドレール２２７と内ガイドレール２２８とで囲まれた内側が遊技領域である。外ガイドレール２２７および内ガイドレール２２８はガイドレールを構成する。
【００３６】
図９を参照し、パチンコ機の電気系統について説明する。主制御装置１７３と複合制御装置１７４と図柄制御装置１７５および発射払出制御装置１９２のそれぞれに格納されたマイクロコンピュータが電力供給を受けて起動し、図柄制御装置１７５が画像制御信号を図柄表示器１５８に出力し、図柄表示器１５８が図柄制御信号に対応する画像を表示する。主制御装置１７３には、入力機器と出力機器とが配線で接続される。主制御装置１７３の入力機器は、払出球検出器５６、球切れ検出器５８、満タン検出器１８８、入賞球検出器２３０、一斉球抜きスイッチ２０７、扉開放スイッチ２０８である。入賞球検出器２３０には、例えば、一般入賞球検出器、作動入賞球検出器、始動入賞球検出器、普通入賞球検出器、特別入賞球検出器などがある。主制御装置１７３の出力機器は、入賞部品駆動源２３１と遊技店の管理を行うホールコンピュータ２３２である。入賞部品駆動源２３１には、入賞部品における電動チューリップの駆動源、入賞部品における可変入賞部品の駆動源などがある。複合制御装置１７４は、主制御装置１７３と配線で接続される。複合制御装置１７４には、表示灯２３３やスピーカ２３４および演出部品駆動源２３９などの出力機器が配線で接続される。演出部品駆動源２３９には、図５に示す可動部品１６０の駆動源、図５に示す図柄表示器１５９のステップモータなどがある。
【００３７】
表示灯２３３は、遊技機枠１２１の前部または遊技盤１５５の前部に設けられ、点灯、点滅、消灯で遊技演出を行う部品である。スピーカ２３４は遊技機枠１２１に設けられて音で遊技演出を行う部品である。発射払出制御装置１９２は、主制御装置１７３と配線で接続される。発射払出制御装置１９２には、入力機器と出力機器とが配線で接続される。発射払出制御装置１９２の入力機器は、球払出機構の払い出される球を検出する払出球検出器５６、球切れ検出器５８、発射操作機構１３８の球の発射を停止するための発射停止検出器２３５と発射操作機構１３８への遊技者による操作量を可変抵抗値として出力する可変抵抗器２３６および発射操作機構１３８への遊技者の接触を検出する接触検出器２３７である。発射払出制御装置１９２の出力機器は、払出モータ４６、流路切替ソレノイド１８５、発射機構１４８の発射駆動源２３８である。この場合、主制御装置１７３、複合制御装置１７４、図柄制御装置１７５、入賞球検出器２３０、図柄表示器１５９、遊技盤１５５に設けられた表示灯２３３、遊技機枠１２１に設けられたスピーカ２３４のそれぞれを接続する配線が図５に示す盤側可撓性配線１６１に付設された箔形状の配線で構成される。図９における結合子Ｄは互いに接続される。
【００３８】
最良の形態において、図５に示すように、パネル枠１２７が開けられると、図２に示す扉開放スイッチ２０８が、扉開放信号を、図２に示す配線２２４、コネクタ２２５、コネクタ６８、コネクタ６５、コネクタ２１９、ハーネス２００、図８に示す払出中継基板１９４、枠側可撓性配線１９７、枠側コネクタ１４４、盤側可撓性配線１６１、盤側可撓性配線１６１と主制御装置１７３とを接続するために盤側可撓性配線１６１と主制御装置１７３との双方に設けられたコネクタＡ；Ｂを経由して、図９に示す主制御装置１７３に出力する。配線２２４、コネクタ２２５、コネクタ６８、コネクタ６５、コネクタ２１９、ハーネス２００、払出中継基板１９４、枠側可撓性配線１９７、枠側コネクタ１４４、盤側可撓性配線１６１、コネクタＡ；Ｂが、図９に示す扉開放スイッチ２０８と主制御装置１７３とをつなぐ配線２４０を構成する。
【００３９】
図５に示すように、パネル枠１２７が開けられた状態において、人が可動枠１２３の前側から図１に示す一斉球抜きスイッチ２０７を操作すると、一斉球抜きスイッチ２０７が、一斉球抜き信号を、図２に示す配線２２２、コネクタ２２３、コネクタ６７、コネクタ６５、コネクタ２１９、ハーネス２００、図８に示す払出中継基板１９４、枠側可撓性配線１９７、枠側コネクタ１４４、盤側可撓性配線１６１、コネクタＡ；Ｂを経由して、図９に示す主制御装置１７３に出力する。配線２２２、コネクタ２２３、コネクタ６７、コネクタ６５、コネクタ２１９、ハーネス２００、払出中継基板１９４、枠側可撓性配線１９７、枠側コネクタ１４４、盤側可撓性配線１６１、コネクタＡ；Ｂが、図９に示す一斉球抜きスイッチ２０７と主制御装置１７３とをつなぐ配線２４１を構成する。
【００４０】
図２に示す満タン検出器１８８は、満タン検出信号を、配線２１５、コネクタ２１６、コネクタ６３、コネクタ６５、コネクタ２１９、ハーネス２００、図８に示す払出中継基板１９４、枠側可撓性配線１９７、枠側コネクタ１４４、盤側可撓性配線１６１、コネクタＡ；Ｂを経由して、図９に示す主制御装置１７３に出力する。配線２１５、コネクタ２１６、コネクタ６３、コネクタ６５、コネクタ２１９、ハーネス２００、払出中継基板１９４、枠側可撓性配線１９７、枠側コネクタ１４４、盤側可撓性配線１６１、コネクタＡ；Ｂが、図９に示す満タン検出器１８８と主制御装置１７３とをつなぐ配線２４２を構成する。
【００４１】
図２に示す払出球検出器５６は、払出球検出信号を、配線２１３、コネクタ２１４、コネクタ６２、コネクタ６５、コネクタ２１９、ハーネス２００、図８に示す払出中継基板１９４、枠側可撓性配線１９７、枠側コネクタ１４４、盤側可撓性配線１６１、コネクタＡ；Ｂを経由して、図９に示す主制御装置１７３に出力するとともに、配線２１３、コネクタ２１４、コネクタ６２、コネクタ６５、コネクタ２１９、ハーネス２００、図８に示す払出中継基板１９４、枠側可撓性配線１９７、発射払出制御用コネクタ１９９、発射払出制御コネクタ２０６を経由して、図９に示す発射払出制御装置１９２に出力する。配線２１３、コネクタ２１４、コネクタ６２、コネクタ６５、コネクタ２１９、ハーネス２００、払出中継基板１９４、枠側可撓性配線１９７、枠側コネクタ１４４、盤側可撓性配線１６１、コネクタＡ；Ｂが、図９に示す払出球検出器５６と主制御装置１７３とをつなぐ配線２４３を構成する。配線２１３、コネクタ２１４、コネクタ６２、コネクタ６５、コネクタ２１９、ハーネス２００、払出中継基板１９４、枠側可撓性配線１９７、発射払出制御用コネクタ１９９、発射払出制御コネクタ２０６が、図９に示す払出球検出器５６と発射払出制御装置１９２とをつなぐ配線２４４を構成する。
【００４２】
図２に示す球切れ検出器５８は、球切れ検出信号を、配線２１７、コネクタ２１８、コネクタ６４、コネクタ６５、コネクタ２１９、ハーネス２００、図８に示す払出中継基板１９４、枠側可撓性配線１９７、枠側コネクタ１４４、盤側可撓性配線１６１、コネクタＡ；Ｂを経由して、図９に示す主制御装置１７３に出力するとともに、配線２１７、コネクタ２１８、コネクタ６２、コネクタ６５、コネクタ２１９、ハーネス２００、図８に示す払出中継基板１９４、枠側可撓性配線１９７、発射払出制御用コネクタ１９９、発射払出制御コネクタ２０６を経由して、図９に示す発射払出制御装置１９２に出力する。配線２１７、コネクタ２１８、コネクタ６４、コネクタ６５、コネクタ２１９、ハーネス２００、払出中継基板１９４、枠側可撓性配線１９７、枠側コネクタ１４４、盤側可撓性配線１６１、コネクタＡ；Ｂが、図９に示す球切れ検出器５８と主制御装置１７３とをつなぐ配線２４５を構成する。配線２１７、コネクタ２１８、コネクタ６４、コネクタ６５、コネクタ２１９、ハーネス２００、払出中継基板１９４、枠側可撓性配線１９７、発射払出制御用コネクタ１９９、発射払出制御コネクタ２０６が、図９に示す球切れ検出器５８と発射払出制御装置１９２とをつなぐ配線２４６を構成する。
【００４３】
図２に示す払出モータ４６は、配線２１１、コネクタ２１２、コネクタ６１、コネクタ６５、コネクタ２１９、ハーネス２００、図８に示す払出中継基板１９４、枠側可撓性配線１９７、発射払出制御用コネクタ１９９、発射払出制御コネクタ２０６を経由して、図９に示す発射払出制御装置１９２に接続される。配線２１１、コネクタ２１２、コネクタ６１、コネクタ６５、コネクタ２１９、ハーネス２００、払出中継基板１９４、枠側可撓性配線１９７、発射払出制御用コネクタ１９９、発射払出制御コネクタ２０６が、図９に示す払出モータ４６と発射払出制御装置１９２とをつなぐ配線２４７を構成する。よって、払出モータ４６は発射払出制御装置１９２で電気的に制御される。
【００４４】
図２に示す流路切替ソレノイド１８５は、配線２２０、コネクタ２２１、コネクタ６６、コネクタ６５、コネクタ２１９、ハーネス２００、図８に示す払出中継基板１９４、枠側可撓性配線１９７、発射払出制御用コネクタ１９９、発射払出制御コネクタ２０６を経由して、発射払出制御装置１９２に接続される。配線２２０、コネクタ２２１、コネクタ６６、コネクタ６５、コネクタ２１９、ハーネス２００、払出中継基板１９４、枠側可撓性配線１９７、発射払出制御用コネクタ１９９、発射払出制御コネクタ２０６が、図９に示す流路切替ソレノイド１８５と図９に示す発射払出制御装置１９２とをつなぐ配線２４８を構成する。よって、流路切替ソレノイド１８５は発射払出制御装置１９２で電気的に制御される。
【００４５】
そして、図５に示す遊技機枠１２１が遊技店の遊技機設置構造体に取り付けられ、図５に示す遊技盤１５５が遊技機枠１２１に装着され、図６に示すパネル枠１２７および球皿構造体１２８が閉じられて可動枠１２３に固定され、図５に示す球収納部１３７に球が入れられ、図９に示す主制御装置１７３、複合制御装置１７４、図柄制御装置１７５、発射払出制御装置１９２が電力で起動し、球が遊技機設置構造体の補給機構から図６に示す球払出装置１の球貯蔵室１０に供給されて貯蔵され、図９に示す球切れ検出器５８が球切れ検出信号を出力しておらず、図９に示す扉開放スイッチ２０８が扉開放信号を出力しておらず、図９に示す満タン検出器１８８が満タン検出信号を出力しておらず、図９に示す一斉球抜きスイッチ２０７が球抜き信号を出力していない状態において、遊技者が図５に示す発射操作機構１３８に触れて操作すると、図９に示す接触検出器２３７が接触検出信号を発射払出制御装置１９２に出力し、図９に示す可変抵抗器２３６が上記発射操作機構１３８に対する遊技者の操作量に応じた可変抵抗値を発射払出制御装置１９２に出力する。
【００４６】
これによって、発射払出制御装置１９２が例えば１分間に１００発未満の周期と可変抵抗値に応じた発射出力とで図９に示す発射駆動源２３８を駆動すると、図５に示す発射機構１４８が球収納部１３７から供給された球を１個ずつ発射する。この発射された球は、図５に示す発射レール１４９で誘導されて図８に示す外ガイドレール２２７と内ガイドレール２２８との間の発射通路を経由して遊技盤１５５の遊技領域に発射される。この遊技領域に発射された球は、遊技領域を流下する過程において、遊技領域に設けられた図外の入賞部品に入賞する。入賞部品に入賞しないで遊技領域の下部に到達した球は、遊技領域に設けられた図外のアウト口に入る。上記入賞部品に入賞した球は、図９に示す入賞球検出器２３０によって検出される。
【００４７】
そして、入賞部品に入賞した球を検出した入賞球検出器２３０が入賞検出信号を主制御装置１７３に出力すると、主制御装置１７３が入賞検出信号の種類による賞球払出信号を複合制御装置１７４と発射払出制御装置１９２とに出力する。これによって、複合制御装置１７４が遊技演出を行うように図柄表示器１５９や表示灯２３３またはスピーカ２３４を駆動し、発射払出制御装置１９２が賞球払出信号にもとづく個数の賞球としての球を払い出すように払出モータ４６を正転方向に駆動する。これによって、図６に示す球払出装置１から賞球としての球が払い出される。このように、球が球払出装置１から払い出されるのに伴い、球検出機構４の図９に示す払出球検出器５６が払出球検出信号を主制御装置１７３と発射払出制御装置１９２とに出力する。
【００４８】
主制御装置１７３および発射払出制御装置１９２は、払出球検出信号を球払出装置１から払い出された球数としてカウントアップするかまたは賞球払出信号にもとづき定められた設定賞球数をカウントダウンするかの演算処理を行う。そして、主制御装置１７３は、演算処理の結果を踏まえ、球払出装置１が賞球払出信号による個数の球を払い出し終わる時間が経過した時点において、球払出装置１による払出動作が正常であるか異常であるかを監視する。つまり、主制御装置１７３は、球払出装置１が賞球払出信号による個数の球を払い出し終わる時間が経過した時点において、カウントアップした値が賞球払出信号にもとづき定められた設定賞球数と一致するかまたは賞球払出信号にもとづき定められた設定賞球数からカウントダウンした値が「０」となることによって、球払出装置１による払出動作が正常であると判断して異常停止処理を行わないが、カウントアップした値が賞球払出信号にもとづき定められた設定賞球数と不一致となるかまたは賞球払出信号にもとづき定められた設定賞球数からカウントダウンした値が「０」とならない場合に球払出装置１による払出動作が異常であると判断して異常停止処理を行う。異常停止処理は、主制御装置１７３が遊技制御を停止する処理であって、図５に示す発射機構１４８が球の発射を停止したり、図６に示す球払出装置１が球の払い出しを停止したりするために、発射払出制御装置１９２に異常信号を出力する。
【００４９】
前記演算処理の結果として、発射払出制御装置１９２は、球払出装置１が賞球払出信号による個数の球を払い出し終わる時間が経過した時点において、カウントアップした値が賞球払出信号にもとづき定められた設定賞球数と一致するかまたは賞球払出信号にもとづき定められた設定賞球数からカウントダウンした値が「０」となった場合、図６に示す球払出機構３の払出モータ４６の正転方向の駆動を停止する。
【００５０】
遊技機枠１２１を裏側から見た場合、遊技機枠１２１の中央開口部１４２よりも左上部（ヒンジ１２４と反対側）に設けられたタンク構造体２が球払出機構３を備え、球払出機構３から払い出された球を遊技機枠１２１の前面に配置された図５に示す球皿構造体１２８の球収納部１３７の側に誘導する縦樋１８２が、タンク構造体２の真下に相当する遊技機枠１２１の中央開口部１４２よりも左側に設けられている。よって、タンク構造体２と球払出機構３とをつなぐ下タンクと呼ばれる樋が不要となり、遊技機枠１２１に取り付けられる図５に示す遊技盤１５５の裏機構を逃げるための中央開口部１４２の上下寸法を大きくすることができるという利点がある。
【産業上の利用可能性】
【００５１】
図１０および図１１は、別の形態である。図１０は、基板蓋８とタンク構造体２とを分解して示す。図１０は、基板蓋８とタンク構造体２とを互いに組み付けて示す。図１０において、基板蓋８には、左壁２５１と右壁２５２および後壁２５３が設けられる。左壁２５１は、基板蓋８の左縁部から上方に突出する。右壁２５２は、基板蓋８の右縁部から上方に突出する。後壁２５３は、左壁２５１の基板蓋８よりも後側に突出した後端部と右壁２５２の基板蓋８よりも後側に突出した後端部とに連接する。そして、図１１に示すように、係合溝７３；７４と蓋係合突起３８；３９との嵌合によって、基板蓋８が基板収納室１１の上方の開口を塞いでタンク構造体２に取り付けられた場合、左壁２５１の基板蓋８よりも後側に突出した部分が球貯蔵室１０の左壁１３の上に配置され、右壁２５２の基板蓋８よりも後側に突出した部分が球貯蔵室１０の右壁１４の上に配置され、後壁２５３が球貯蔵室１０の後壁１６の上に配置される。左壁２５１と左壁１３とが互いに接触し、右壁２５２と右壁１４とが互いに接触し、後壁２５３と後壁１６とが互いに接触するか、または、左壁２５１と左壁１３との間、右壁２５２と右壁１４との間、後壁２５３と後壁１６との間、右壁２５２と前壁３４との間のそれぞれの隙間が１個の球の直径よりも小さな寸法に定められることによって、左壁２５１と右壁２５２とが、上方から基板蓋８の上に落下した球を、基板蓋８の左右側部から下方に落下しないように、基板蓋８から球貯蔵室１０に適切に誘導することができるという利点がある。球貯蔵室１０の容積が、左壁２５１の基板蓋８よりも後側に突出した部分と右壁２５２の基板蓋８よりも後側に突出した部分と後壁２５３とによって拡大することができるという利点がある。また、左壁２５１の基板蓋８よりも後側に突出した部分と右壁２５２の基板蓋８よりも後側に突出した部分と後壁２５３とが、存在しなくても、左壁２５１と右壁２５２とが、上方から基板蓋８の上に落下した球を、基板蓋８の左右側部から下方に落下しないように、基板蓋８から球貯蔵室１０に適切に誘導することはできる。左壁２５１と右壁２５２と後壁２５３とのそれぞれにおける基板蓋８から上方への突出寸法は、タンク構造体２が図３に示す可動枠１２３に取り付けられ、可動枠１２３が図５に示す固定枠１２２にヒンジ１２４を中心として前側から後側に閉じられる過程において、左壁２５１と右壁２５２と後壁２５３とが固定枠１２２に衝突しない寸法に定められていることは勿論である。
【００５２】
遊技機枠１２１と遊技盤１５５とが枠側ヒンジ１４３と盤側ヒンジ１６４とからなるヒンジで回転可能に取り付けられていない構造であってもよい。枠側コネクタ１４４が遊技盤１５５に設置され、電極１６２が遊技機枠１２１に設置された構造であってもよい。発射払出制御装置１９２は、１つの制御装置筐体の内部に、発射制御に必要な電気部品の実装された回路基板と、払出制御に必要な電気部品の実装された回路基板とが互いに分離された形態で装着されて構造であっても、発射制御に必要な電気部品の実装された回路基板を１つの制御装置筐体の内部に装着し、払出制御に必要な電気部品の実装された回路基板を別の１つの制御装置筐体の内部に装着した構造であってもよい。この別々の制御装置筐体とした場合、発射制御に必要な電気部品の実装された回路基板を有する制御装置筐体の方は、発射制御装置となり、払出制御に必要な電気部品の実装された回路基板を有する制御装置筐体の方は、払出制御装置となる。主制御装置１７３に置換して複合制御装置１７４またはそれ以外の遊技盤１５５の裏面に設ける部品を取り付けてもよい。可動枠本体１２５と遊技主体収納構造体１２６とが別々の材料から構成されたものを結合するか、または、可動枠本体１２５と遊技主体収納構造体１２６とが合成樹脂により単一構造体として形成してもよい。また、前述の説明で、遊技主体収納構造体１２６に取り付けたものは、可動枠１２３に取り付けたものと認識できることは明らかであろう。遊技機としては、球を遊技媒体として使用するスロットマシンであってもよい。
【図面の簡単な説明】
【００５３】
【図１】遊技機枠を示す裏面図（最良の形態）。
【図２】中継基板の配線構造を示す平面図（最良の形態）。
【図３】球払出装置を示す裏側からの分解斜視図（最良の形態）。
【図４】球払出装置の内部を示す縦断面図（最良の形態）。
【図５】遊技機枠と遊技盤とを示す分解斜視図（最良の形態）。
【図６】遊技機枠を示す平面図（最良の形態）。
【図７】遊技機枠に球払出装置を取り付けた側面的な断面図（最良の形態）。
【図８】パチンコ機を示す裏面図（最良の形態）。
【図９】パチンコ機の電気系統を示すブロック図（最良の形態）。
【図１０】基板蓋とタンク構造体とを示す裏側からの分解斜視図（別の形態）。
【図１１】基板蓋とタンク構造体とを示す裏側からの組立斜視図（別の形態）。
【符号の説明】
【００５４】
１      球払出装置
２      タンク構造体
３      球払出機構
４      払出球検出機構
６      球切れ検出機構
７      中継基板
１０    球貯蔵室
１１    基板収納室
４６    払出モータ
５６    払出球検出器
５８    球切れ検出器
６１    コネクタ
６２    コネクタ
６３    コネクタ
６４    コネクタ
６５    コネクタ
６６    コネクタ
６７    コネクタ
６８    コネクタ
１２１  遊技機枠
１２３  可動枠
１４２  中央開口部
１９２  発射払出制御装置
【図１】
2006136532.tif 000003
【図２】
2006136532.tif 000004
【図３】
2006136532.tif 000005
【図４】
2006136532.tif 000006
【図５】
2006136532.tif 000007
【図６】
2006136532.tif 000008
【図７】
2006136532.tif 000009
【図８】
2006136532.tif 000010
【図９】
2006136532.tif 000011
【図１０】
2006136532.tif 000012
【図１１】
2006136532.tif 000013